(57)【要約】【課題】  高速回転鏡と非球面鏡とを用いた多チャネル試料分析用の光学系及びこれを採用した多チャネル試料分析器を提供する。【解決手段】  光軸に沿って進行する光を射出する光源ユニット１０と、光軸を中心に回転対称になるように配置されたセミスフェロイド非球面鏡３０と、光軸を中心に回転しながら、前記光源ユニットから射出された光を反射して前記セミスフェロイド非球面鏡に進行させる傾斜鏡４１と、を含み、前記光源ユニットから射出された光が前記セミスフェロイド非球面鏡を通過して前記傾斜鏡に入射することができるように、前記セミスフェロイド非球面鏡の中心に開口が形成されている。これにより、試料間の光学的クロストークを防止しながらも高速に複数の試料を測定でき、使用される部品を最小化できる。【選択図】            図２
2006084465.tif 000002
【特許請求の範囲】
【請求項１】
光軸に沿って進行する光を射出する光源ユニットと、
光軸を中心に回転対称になるように配置されたセミスフェロイド非球面鏡と、
光軸を中心に回転しながら、前記光源ユニットから射出された光を反射して、前記セミスフェロイド非球面鏡に進行させる傾斜鏡と、を備え、
前記光源ユニットから射出された光が前記セミスフェロイド非球面鏡を通過して、前記傾斜鏡に入射することができるように、前記セミスフェロイド非球面鏡の中心に開口が形成されていることを特徴とする多チャネル試料分析用の光学系。
【請求項２】
前記傾斜鏡は、光軸を中心に回転する円筒形バーの一側端部に傾斜して形成されていることを特徴とする請求項１に記載の多チャネル試料分析用の光学系。
【請求項３】
前記円筒形バーの回転時の揺れを防止するために、光軸を中心に前記円筒形バーの質量が対称的な分布を有するように前記傾斜鏡の上面に透明バーが付着されたことを特徴とする請求項２に記載の多チャネル試料分析用の光学系。
【請求項４】
前記透明バーの入射面は、前記光源ユニットからの光に対して垂直であり、前記透明バーの射出面は、円筒形ロッドレンズの形状を有することを特徴とする請求項３に記載の多チャネル試料分析用の光学系。
【請求項５】
前記セミスフェロイド非球面鏡の鏡面は、前記光源ユニットの反対方向に配置されており、前記傾斜鏡と対向することを特徴とする請求項１に記載の多チャネル試料分析用の光学系。
【請求項６】
光軸に垂直な前記セミスフェロイド非球面鏡の断面は円形であり、光軸方向に沿ったセミスフェロイド非球面鏡の断面は楕円面であることを特徴とする請求項５に記載の多チャネル試料分析用の光学系。
【請求項７】
前記光源ユニットから射出された光を集束させるために、前記光源ユニットとセミスフェロイド非球面鏡との間に配置された対物レンズをさらに含むことを特徴とする請求項１に記載の多チャネル試料分析用の光学系。
【請求項８】
光軸に沿って進行する光を射出する光源ユニットと、
光軸を中心に回転対称になるように配置されたセミスフェロイド非球面鏡と、
光軸を中心に回転しながら、前記光源ユニットから射出された光を反射して、前記セミスフェロイド非球面鏡に進行させる傾斜鏡と、
前記セミスフェロイド非球面鏡から反射された光が試料に入射することができるように、前記セミスフェロイド非球面鏡に対向して配置された試料ホルダーと、
試料から放出された光を検出する検出器と、を備えることを特徴とする多チャネル試料分析器。
【請求項９】
前記傾斜鏡は、光軸を中心に回転する円筒形バーの一側端部に傾斜して形成されていることを特徴とする請求項８に記載の多チャネル試料分析器。
【請求項１０】
前記円筒形バーの回転時の揺れを防止するために、光軸を中心に前記円筒形バーの質量が対称的な分布を有するように前記傾斜鏡の上面に透明バーが付着されたことを特徴とする請求項２に記載の多チャネル試料分析器。
【請求項１１】
前記透明バーの入射面は、前記光源ユニットからの光に対して垂直であり、前記透明バーの射出面は、円筒形ロッドレンズの形状を有することを特徴とする請求項１０に記載の多チャネル試料分析器。
【請求項１２】
前記光源ユニットから射出された光が前記セミスフェロイド非球面鏡を通過して前記傾斜鏡に入射することができるように、前記セミスフェロイド非球面鏡の中心に開口が形成されていることを特徴とする請求項８に記載の多チャネル試料分析器。
【請求項１３】
前記セミスフェロイド非球面鏡の鏡面は、前記光源ユニットの反対方向に配置されており、前記傾斜鏡とは対向することを特徴とする請求項１２に記載の多チャネル試料分析器。
【請求項１４】
光軸に垂直な前記セミスフェロイド非球面鏡の断面は円形であり、光軸方向に沿ったセミスフェロイド非球面鏡の断面は楕円面であることを特徴とする請求項１２に記載の多チャネル試料分析器。
【請求項１５】
前記試料ホルダーの上面には、複数の試料が一定した間隔に沿って円形に配置されていることを特徴とする請求項８に記載の多チャネル試料分析器。
【請求項１６】
前記光源ユニットから射出された光を試料に集束させるために、前記光源ユニットとセミスフェロイド非球面鏡との間に配置された対物レンズをさらに備えることを特徴とする請求項８に記載の多チャネル試料分析器。
【請求項１７】
前記光源ユニットから射出された光を前記傾斜鏡に進行させ、試料から放出された光を前記検出器に進行させるためのダイクロイックミラーをさらに備えることを特徴とする請求項８に記載の多チャネル試料分析器。
【請求項１８】
前記光源ユニットは、
それぞれ異なる波長を有する光を放出させる少なくとも一つの光源と、
前記少なくとも一つの光源から放出されたそれぞれの光が光軸に沿って進行できるように、対応光源から放出された光を反射させ、他光源から放出された光を透過させる少なくとも一つのダイクロイックミラーと、を備えることを特徴とする請求項８に記載の多チャネル試料分析器。
【請求項１９】
前記光源ユニットは、前記少なくとも一つの光源から放出されたそれぞれの光が特定波長のみを有するようにフィルタリングする少なくとも一つのフィルターをさらに備えることを特徴とする請求項１８に記載の多チャネル試料分析器。
【発明の詳細な説明】
【技術分野】
【０００１】
本発明は、多チャネル試料分析用の光学系及びこれを採用した多チャネル試料分析器に係り、より詳しくは、高速回転鏡と非球面鏡とを用いた多チャネル試料分析用の光学系及びこれを採用した多チャネル試料分析器に関する。
【背景技術】
【０００２】
試料に特定波長の光を照射した後、試料から放出される蛍光のスペクトルを検出して試料の成分や絶対量などを分析する方法はよく知られている。例えば、ＤＮＡのそれぞれの塩基を反応波長が相異なる蛍光染料で染色した後、前記蛍光物質から放出される波長の強度を分析することによってＤＮＡの塩基序列を決定するか、或いは絶対量が分かる。
【０００３】
図１は、このための一般的な蛍光分析装置の構造を概略的に示す。図１に示されたように、蛍光分析装置１００は、一般に光源１１０、フィルター１２０，１５０、ダイクロイックミラー１４０、対物レンズ１４５、試料ホルダー１３０及び光検出器１６０などから構成される。光源１１０としては、ハロゲンランプ、ＬＥＤ（Ｌｉｇｈｔ Ｅｍｉｔｔｉｎｇ Ｄｉｏｄｅ）又はレーザーなどを多様に使用できる。光源１１０から放出された光は、第１のフィルター１２０を通じて特定波長帯域のみを有する。その後、前記特定波長の光は、ダイクロイックミラー１４０によって反射されて、試料ホルダー１３０上の試料１７０に入射する。試料１７０によって放出された蛍光は、ダイクロイックミラー１４０と第２のフィルター１５０とを通過した後、光検出器１６０によって検出される。この際、それぞれのフィルター１２０，１５０や光源１１０の波長特性を変化させながら、試料から放出される蛍光波長の強度を分析すれば、試料の成分が詳細に分かる。
【０００４】
最近では、試料分析の効率性を高め、高速に試料を測定するために、多チャネル試料分析装置が開発されている。複数の試料を一度に分析できる多チャネル試料分析装置は、広く二種類があるが、一つは複数の検出器を用いて複数の試料を同時に測定する装置であり、他の一つは一つの検出器のみを用いて順次に複数の試料を測定する装置である。
【０００５】
複数の検出器を用いて複数の試料を同時に測定する装置は、試料数ほどの個別的な検出器を使用して一つの試料から放出された蛍光を一つの検出器が測定する装置（Ｃｅｐｈｅｉｄ Ｓｍａｒｔｃｙｃｌｅｒ；特許文献１参照）と、大面積の光を複数の試料に一回照射した後、試料から放出された蛍光を一つの大面積ＣＣＤで測定する装置（ＡＢＩ Ｐｒｉｓｍ ７０００；特許文献２参照）がある。しかしながら、試料数ほどの個別的な検出器を使用して検出する方式は、試料の個数に比例する検出器の数が要求されるので、より多くの試料を測定するため試料数を拡張すべき場合には多くの限界がある（現在商用化されているＣｅｐｈｅｉｄ Ｓｍａｒｔｃｙｃｌｅｒは２４個）。さらに、大面積の光を多くの試料に一回照射した後、ＣＣＤで測定する場合は、相異なる試料から放出された蛍光がそれぞれの検出器に同時に現れる蛍光信号クロストーク現象が発生しうる。従って、こうした現象を避け、正確な測定を行うためには、装置が非常に複雑になり、大型化されるよりほかはない。特に、蛍光分析で要求される精度を有する大面積ＣＣＤは、現在も非常に高価な部品であって、小型化するには多くの技術的な限界がある。
【０００６】
一つの検出器のみを用いて順次に複数の試料を測定する装置にも現在二種類がある。第一の装置は、広い試料ホルダーに複数の試料を載せ、検出器が前記試料上をＸＹ−方向にスキャニングしながら試料を測定する装置である。第二の装置は、円形の試料ホルダー上に複数の試料を載せ、前記試料ホルダーを高速に回転させながら、固定された一つの検出器で試料を測定する装置である。第一の装置の場合、検出器が試料上を移動しなければならないが、検出器を高速に移動させにくいので、試料を測定する速度には制限が出てきてしまう。また、検出すべき試料の数が多くなる場合、検出器が広い面積をスキャニングできなければならないが、これを具現するためには、装置が非常に複雑になり、大型化される。第二の装置の場合、固定された検出器下で高速に試料が回転するので、比較的高速測定が可能である。しかしながら、同様に検出すべき試料の数が多くなる場合、試料ホルダーのサイズが大きくなければならないが、大型の試料ホルダーを高速に回転させるためには、消費電力が非常に大きくなる。これにより、装備を小型化することに限界がある。
【特許文献１】米国特許第６，３６９，８９３号明細書
【特許文献２】米国特許出願第２００３／０１４８５０５号明細書
【発明の開示】
【発明が解決しようとする課題】
【０００７】
本発明の技術的課題は、複数の試料を高速に実時間測定でき、簡単で小型化された携帯型多チャネル試料分析用の光学系及びこれを採用した多チャネル試料分析器を提供するところにある。
【課題を解決するための手段】
【０００８】
前記技術的課題を達成するために本発明の一つの類型による多チャネル分析用光学系は、光軸に沿って進行する光を射出する光源ユニットと、光軸を中心に回転対称になるように配置されたセミスフェロイド非球面鏡と、光軸を中心に回転しながら、前記光源ユニットから射出された光を反射して前記セミスフェロイド非球面鏡に進行させる傾斜鏡と、を備え、前記光源ユニットから射出された光が前記セミスフェロイド非球面鏡を通過して前記傾斜鏡に入射することができるように、前記セミスフェロイド非球面鏡の中心に開口が形成されていることを特徴とする。
【０００９】
ここで、前記傾斜鏡は、光軸を中心に回転する円筒形バーの一側端部に傾斜して形成されている。また、前記セミスフェロイド非球面鏡の鏡面は、前記光源ユニットの反対方向に配置されており、前記傾斜鏡と対向することを特徴とする。特に、前記セミスフェロイド非球面鏡は、試料に励起光を照射した後で発生する蛍光を効率的に集光できるように、光軸方向に対しては、試料上の一つの点と傾斜鏡の一つの点（光軸と出会う点）とを焦点とする楕円形状の反射面を有し、光軸と垂直な面に対しては多くの試料に対する励起光照射とこれによって発生する蛍光信号の集光とが順次にスキャニングされるように回転対称である円形状の鏡面を有することを特徴とする。
【００１０】
前記技術的課題を達成するために本発明の他の類型による多チャネル分析器は、光軸に沿って進行する光を射出する光源ユニットと、光軸を中心に回転対称になるように配置されたセミスフェロイド非球面鏡と、光軸を中心に回転しながら、前記光源ユニットから射出された光を反射して前記セミスフェロイド非球面鏡に進行させる傾斜鏡と、前記セミスフェロイド非球面鏡から反射された光が試料に入射することができるように、前記セミスフェロイド非球面鏡に対向して配置された試料ホルダーと、試料から放出された光を検出する検出器と、を備えることを特徴とする。
【００１１】
前記多チャネル試料分析器は、前記光源ユニットから射出された光を試料に集束させるために、前記光源ユニットとセミスフェロイド非球面鏡との間に配置された対物レンズをさらに備える。
【００１２】
また、前記多チャネル試料分析器は、前記光源ユニットから射出された光を前記傾斜鏡に進行させ、試料から放出された光を前記検出器に進行させるためのダイクロイックミラーをさらに備える。
【００１３】
一方、前記光源ユニットは、それぞれ異なる波長を有する光を放出させる少なくとも一つの光源と、前記少なくとも一つの光源から放出されたそれぞれの光が光軸に沿って進行できるように、対応光源から放出された光を反射させ、他光源から放出された光を透過させる少なくとも一つのダイクロイックミラーと、を備える。
【発明の効果】
【００１４】
本発明によれば、高速に回転する鏡を用いてビーム走査方式で試料を測定するので、試料間の光学的クロストークを防止しながらも高速に複数の試料を測定できる。
【００１５】
また、本発明によれば、単に一つの傾斜鏡のみを回転させて複数の試料を測定できる。従って、多チャネル試料分析のため使用された光学系が非常に単純に構成されたので、使用される部品を最小化できる。その結果、本発明による多チャネル試料分析器は、小型化が可能であり、低コストで生産できる。
【発明を実施するための最良の形態】
【００１６】
以下、添付した図面に基づき本発明の一実施形態による多チャネル試料分析用の光学系及びこれを採用した多チャネル試料分析器の構成及び動作について詳細に説明する。
【００１７】
図２は、本発明の一つの実施形態による多チャネル試料分析用の光学系及び多チャネル試料分析器の構造を概略的に示す。図２に示されたように、本発明による多チャネル試料分析器は、光軸１５に沿って進行する光を射出する光源ユニット１０と、光軸１５を中心に回転対称になるように配置されたセミスフェロイド非球面鏡３０と、光軸１５を中心に回転しながら前記光源ユニット１０から射出された光を反射して前記セミスフェロイド非球面鏡３０に進行させる傾斜鏡４１と、前記セミスフェロイド非球面鏡３０から反射された光が試料５５に入射できるように前記セミスフェロイド非球面鏡３０に対向して配置された試料ホルダー５０と、試料５５から放出された光を検出する検出器２５と、前記光源ユニット１０から射出された光を試料５５に集束させるために、前記光源ユニット１０とセミスフェロイド非球面鏡３０との間に配置された対物レンズ２３と、前記多チャネル試料分析器は、前記光源ユニット１０から射出された光を前記傾斜鏡４１に進行させ、試料５５から放出された光を前記検出器２５に進行させるためのダイクロイックミラー２０と、を備える。
【００１８】
また、光源ユニット１０は、それぞれ異なる波長を有する光を放出させる少なくとも一つの光源１２，１３を含む。図２では、例示的に二つの光源１２，１３のみを示したが、一つの光源のみを使用することもでき、三つの以上の光源を使用することもできる。光源１２，１３は、例えばハロゲンランプ、ＬＥＤ又はレーザーなどを多様に使用できる。フィルター１４，１７は、光源１２，１３から放出されたそれぞれの光が特定の波長を有するようにフィルタリングする機能を行う。図２に示されたように、二つ以上の光源を使用する場合、それぞれの光源から放出された光を全て光軸１５に沿って進行させるためにダイクロイックミラー１６，１８を必要とする。ダイクロイックミラー１６，１８は、対応する光源から放出された光を反射させ、他光源から放出された光を透過させる。例えば、第１の光源１２から放出された第１の波長の光は、第１のダイクロイックミラー１６によって反射された後、第２のダイクロイックミラー１８を通過して光軸１５に沿って進行する。また、第２の光源１３から放出された第２の波長の光は、第２のダイクロイックミラー１８を通過して光軸１５に沿って進行する。
【００１９】
こうした光源ユニット１０やダイクロイックミラー２０、対物レンズ２３及び検出器２５などは、従来の多チャネル試料分析器にも一般に使用される構成要素なので、詳細な説明を省略する。
【００２０】
本発明による多チャネル試料分析器の特徴的な部分は、図２で対物レンズ２３下にある多チャネル試料分析用の光学系７０にある。前述したように、従来の多チャネル試料分析器の中で、円形の試料ホルダー上に複数の試料を載せ、試料ホルダーを高速に回転させながら固定された検出器で試料を測定する装置の場合、高速で複数の試料を測定できるという点で長所がある。しかしながら、試料ホルダーを回転させるので、装置を小型化することに限界がある。かかる問題を改善するために、本出願の発明者は、試料ホルダーを回転させる代わりに、光が試料上を回転しながらスキャニングするように多チャネル試料分析用の光学系７０を提案した。すなわち、検出器と試料ホルダーは、固定されており、光源ユニットから射出された光のみが試料上をスキャニングするのである。
【００２１】
図２に示されたように、本発明による多チャネル試料分析用の光学系７０は、光軸１５を中心に回転対称になるように配置されたセミスフェロイド非球面鏡３０、及び光軸１５を中心に回転しながら光源ユニット１０から射出された光を反射して前記セミスフェロイド非球面鏡３０に進行させる傾斜鏡４１を備えている。ここで、前記セミスフェロイド非球面鏡３０の鏡面３３は、光源ユニット１０の反対方向に配置されている。すなわち、前記セミスフェロイド非球面鏡３０の鏡面３３は、光の進行方向に沿って前記傾斜鏡４１と対向するように配置される。そして、前記セミスフェロイド非球面鏡３０の中心には、前記光源ユニット１０から射出された光がセミスフェロイド非球面鏡３０を通過して傾斜鏡４１に入射することができるように、開口３５が形成されている。こうした構造で、前記傾斜鏡４１が光軸１５を中心に高速回転すれば、傾斜鏡４１に入射する光の射出方向が方位角方向に沿って順次に変わる。従って、試料ホルダー５０上の試料配置５５を例示的に示す図４のように、セミスフェロイド非球面鏡３０から反射された光は、試料ホルダー５０上に円形に配置されている複数の試料５５上を高速でスキャニングすることができる。
【００２２】
この際、前記傾斜鏡４１は、光軸１５を中心に回転する、例えば円筒形バー４０の一側端部に傾斜して形成されている。前記円筒形バー４０が回転することによって、傾斜鏡４１が回転できる。円筒形バー４０は、例えば、モーター（図示せず）及び駆動回路（図示せず）が実装された基板６０上に設けられることもある。ところで、円筒形バー４０を傾斜して切断して傾斜鏡４１を形成する場合、全体的な形が光軸１５について非対称になる。その結果、円筒形バー４０の重心が光軸１５上に位置せず、円筒形バー４０の回転時に傾斜鏡４１が光軸１５を中心に回転せず揺れることができる。こうした現象を防止するため、光軸１５を中心に前記円筒形バー４０の質量が対称的な分布を有するように、前記傾斜鏡４１の上面に透明なバー４３が付着される。図２に示されたように、前記透明なバー４３と円筒形バー４０とを含む全体的な形状は、正確に光軸１５について対称になる。
【００２３】
図２に示されたように、前記光源ユニット１０から射出された光は、前記透明バー４３の中心軸に沿って入射して、傾斜鏡４１に進行する。この際、光軸と傾斜鏡４１とが出会う点Ｆ２から反射された光は、セミスフェロイド非球面鏡３０に再び反射された後、最終的に楕円面の第１の焦点であるＦ１に集束されるが、このＦ１がまさに試料が置かれている点になる。そして、入射光の励起によってＦ１から放射する蛍光は、再び漏斗形のビーム分布（中心軸は入射光軸と同一）を有し、入射経路と同一な光軸に沿って進行する。すなわち、Ｆ１から放射した蛍光は、セミスフェロイド非球面鏡３０で一次反射し、傾斜鏡４１内の第２の焦点であるＦ２に集束及び反射されて上端部の対物レンズ２３に集束される。従って、図２で光軸１５の方向（すなわち、ｙ−軸方向）に沿うセミスフェロイド非球面鏡３０の断面は、試料上の一つの点と傾斜鏡の一つの点（光軸と出会う点）とを焦点とする楕円形状の反射面を有する。
【００２４】
一方、図３は、図２のＡ−Ａの断面を切断した断面図を例示的に示す。図３に示されたように、光軸と垂直な方向（すなわち、ｘ−軸方向）に切ったセミスフェロイド非球面鏡３０の断面は、多くの試料に対する励起光照射とこれによって発生する蛍光信号の集光とが順次にスキャニングされることができるように、回転対称である円形形態を有する。特に、透明バー４３の断面４５は、円筒形ロッドレンズの断面、すなわち円形状を有する。従って、前記傾斜鏡４１によって反射されてセミスフェロイド非球面鏡３０に進行する光は、透明バー４３の射出面４５でｙ−軸方向には変化がないが、ｘ−軸方向には集束される形態になる。そして、試料面５５から放射する蛍光は、試料面内の点Ｆ１でｘ−軸方向に対して発散するビーム形状を有するが、透明バー４３の円形断面がロッドレンズの役割を果たすため、ビームは集束され、上方の対物レンズ２３に進行する。
【００２５】
前述した構造の光学系を用いた多チャネル試料蛍光分析器の動作を整理すれば次の通りである。光源ユニット１０から射出された光は、ダイクロイックミラー２０、対物レンズ２３及び透明バー４３を通過して傾斜鏡４１に入射する。傾斜鏡４１から反射された光は、さらにセミスフェロイド非球面鏡３０によって反射されて、試料ホルダー５０上の試料５５に入射する。この際、例えば前記試料５５に染色された蛍光物質（図示せず）は、前記入射光を吸収して励起される。それにより、前記励起された蛍光物質は新しい光を放出する。試料５５の蛍光物質から放出された光は、セミスフェロイド非球面鏡３０及び傾斜鏡４１によって反射されてダイクロイックミラー２０に向く。一般に、試料５５の蛍光物質から放出された光は、光源ユニット１０から射出された光の波長と異なる波長とを有する。従って、ダイクロイックミラー２０に入射された光は、ダイクロイックミラー２０を通過せずに検出器２５に向って反射される。そうしているうちに、傾斜鏡４１が矢印方向に回転しながら、光源ユニット１０から射出された光をさらに他の試料に入射させる。従って、検出器２５と試料５５は、回転せず、単に傾斜鏡４１のみを回転させながら高速で複数の試料を測定することが可能である。
【００２６】
一方、測定される複数の試料は、図４のように一定した間隔を有し、円形に配置される。この際、円の半径は、試料のサイズや個数によって多様に設計できる。そして、試料５５が配置される試料ホルダー５０上の位置の中で一つの地点には、傾斜鏡４１の回転によって光が試料５５上をスキャニングする間に、一回転の開始を検出することができるように、基準蛍光信号（Ｍａｒｋ Ｓｉｇｎａｌ）を発生させる基準試料５６を配置する。この際、基準試料５６は、例えば光検出器が飽和される程度に明るい信号が出る蛍光物質を使用する。
【００２７】
そして、多チャネル試料分析器の信号処理方式は、図５に示されたように、光電流変調器（ｌｉｇｈｔ ｃｈｏｐｐｅｒ）（図示せず）を用いるか、或いは他の電気的な方法を用いて光源ユニット１０から射出された光を所定の周期を有する矩形波形態に分周して使用する。例えば、二つの光源から射出された光が経時的に順次に１−２−１−２番のように連結されて照射されるようにタイミングを調節して使用する。この際、矩形波の周期は、傾斜鏡４１の回転周期と一致させて、傾斜鏡４１が一回転する間一回光源に対して基準信号とＮ個の試料の蛍光信号（総Ｎ＋１個の信号）を検出させることができ、二回目の回転では、同様に二回光源に対して基準信号とＮ個の試料の蛍光信号（総Ｎ＋１個の信号）とを検出させることができる。
【産業上の利用可能性】
【００２８】
本発明は、試料分析に関連した技術分野に効果的に適用できる。
【図面の簡単な説明】
【００２９】
【図１】一般的な蛍光分析装置の概略的な構造を示す図面である。
【図２】本発明の一つの実施形態による多チャネル試料分析用の光学系及び多チャネル試料分析器の構造を概略的に示す図面である。
【図３】図２のＡ−Ａ断面を切断した断面図である。
【図４】本発明の一つの実施形態による試料ホルダー上の試料配置を例示的に示す図面である。
【図５】多チャネル試料の信号処理方式を示すタイミング図である。
【符号の説明】
【００３０】
１０        光源ユニット、
１２，１３    光源、
１４，１７    フィルター、
１５        光軸、
１６，１８，２０    ダイクロイックミラー、
２３    対物レンズ、
２５    検出器、
３０    セミスフェロイド非球面鏡、
３３    鏡面、
３５    開口、
４０    円筒形バー、
４１    傾斜鏡、
４３    透明バー、
４５    断面、
５０    試料ホルダー、
５５    試料、
６０    基板、
７０    多チャネル試料分析用の光学系。
【図１】
2006084465.tif 000003
【図２】
2006084465.tif 000004
【図３】
2006084465.tif 000005
【図４】
2006084465.tif 000006
【図５】
2006084465.tif 000007